(57)【要約】【課題】予め決められた領域内の人を検出する人検出部の数が少ない簡単な構成でありながら、領域内の人が検出された時刻ごとに照明器具のランプの点灯保持時間を最適にする。【解決手段】照明制御システム１は、ランプ２０１および器具側制御部２０４を有する照明器具２と、タイムスケジュールに従ってランプ２０１の点灯状態および点灯保持時間を制御する照明制御装置３と、領域内の人を検出する人検出部４と、領域内の人が検出された時点からの経過時間を計時するタイマ部５とを備える。タイムスケジュールには、ランプ２０１の点灯状態および点灯保持時間が時刻ごとに異なるように対応付けられている。器具側制御部２０４は、領域内の人が検出されると、タイムスケジュールによって人検出部４で領域内の人が検出された時刻に対応付けられた点灯保持時間が経過するまで、タイムスケジュールで対応付けられた点灯状態になるようにランプ２０１を制御する。【選択図】図１
2012074151.tif 000002
【特許請求の範囲】
【請求項１】
予め設定された領域を照射するランプと前記ランプを制御する器具側制御部とを有する照明器具と、
前記領域内の人を検出する人検出部と、
前記人検出部で前記領域内の人が検出された時点からの経過時間を計時するタイマ部と、
前記領域内に人が存在する存在時における前記照明器具の前記ランプの点灯状態と前記人検出部で前記領域内の人が検出された時点から前記点灯状態を保持する点灯保持時間とが時刻ごとに異なるように対応付けられたタイムスケジュールに従って、前記照明器具の前記ランプの点灯状態および点灯保持時間を制御する照明制御装置とを備え、
前記照明器具の前記器具側制御部は、前記人検出部で前記領域内の人が検出されると、前記タイマ部で計時された経過時間が、前記タイムスケジュールによって前記人検出部で前記領域内の人が検出された時刻に対応付けられた前記点灯保持時間になるまで、前記タイムスケジュールで対応付けられた前記点灯状態で前記領域を照射するように前記ランプを制御する
ことを特徴とする照明制御システム。
【請求項２】
前記照明制御装置は、前記タイムスケジュールに従って、前記点灯状態および前記点灯保持時間の情報を含む照明制御信号を前記照明器具に出力し、
前記照明器具は、前記人検出部および前記タイマ部を有し、
前記照明器具の前記器具側制御部は、前記照明制御装置から前記照明制御信号を取得し、前記人検出部で前記領域内の人が検出されると、前記タイマ部で計時された経過時間が前記照明制御信号の前記点灯保持時間になるまで、前記照明制御信号の前記点灯状態で前記領域を照射するように前記ランプを制御する
ことを特徴とする請求項１記載の照明制御システム。
【請求項３】
前記人検出部および前記タイマ部を有するセンサ端末を備え、
前記照明制御装置は、前記タイムスケジュールに従って、前記点灯状態および前記点灯保持時間の情報を含む照明制御情報を前記センサ端末に出力し、
前記センサ端末は、前記照明制御装置から前記照明制御情報を取得し、前記人検出部で前記領域内の人が検出されると、前記ランプを前記照明制御情報の前記点灯状態にするための照明制御信号を前記照明器具に出力し、前記タイマ部で計時された経過時間が前記照明制御情報の前記点灯保持時間になると、前記ランプを元の点灯状態にするための照明制御信号を前記照明器具に出力し、
前記照明器具の前記器具側制御部は、前記センサ端末からの前記照明制御信号に従って前記ランプを制御する
ことを特徴とする請求項１記載の照明制御システム。
【請求項４】
前記照明器具は、前記人検出部を有し、前記人検出部で前記領域内の人が検出されると、検出結果を前記照明制御装置に出力し、
前記照明制御装置は、前記タイマ部を有し、前記照明器具から前記検出結果を受け取ると、前記タイムスケジュールに従って、前記検出結果を受け取った時刻に対応付けられた存在時の点灯状態にするための照明制御信号を前記照明器具に出力し、前記タイマ部で計時された経過時間が前記点灯保持時間になると不在時の点灯状態にするための照明制御信号を前記照明器具に出力し、
前記照明器具の前記器具側制御部は、前記照明制御装置からの前記照明制御信号に従って前記ランプを制御する
ことを特徴とする請求項１記載の照明制御システム。
【請求項５】
前記人検出部を有するセンサ端末を備え、
前記センサ端末は、前記人検出部で前記領域内の人が検出されると検出結果を前記照明制御装置に出力し、
前記照明制御装置は、前記タイマ部を有し、前記センサ端末から前記検出結果を受け取ると、前記タイムスケジュールに従って、前記検出結果を受け取った時刻に対応付けられた存在時の点灯状態の情報を前記センサ端末を介して照明制御信号として前記照明器具に出力し、前記タイマ部で計時された経過時間が前記点灯保持時間になると不在時の点灯状態の情報を前記センサ端末を介して照明制御信号として前記照明器具に出力し、
前記照明器具の前記器具側制御部は、前記センサ端末からの前記照明制御信号に従って前記ランプを制御する
ことを特徴とする請求項１記載の照明制御システム。
【請求項６】
前記人検出部は、前記領域内の人を検出すると、検出結果を前記照明制御装置および前記照明器具に出力し、
前記照明制御装置は、前記タイマ部を有し、前記タイムスケジュールに従って、存在時の点灯状態の情報を含む照明制御信号を前記照明器具に出力し、前記人検出部から前記検出結果を受け取ってからの経過時間が前記点灯保持時間になると、前記タイムスケジュールに従って、不在時の点灯状態の情報を含む照明制御信号を前記照明器具に出力し、
前記照明器具の前記器具側制御部は、前記照明制御装置からの前記照明制御信号に従って前記ランプを制御する
ことを特徴とする請求項１記載の照明制御システム。
【請求項７】
前記照明器具は、前記照明制御信号として、パルス幅変調方式のパルス信号であって調光レベルがデューティ比に対応し点灯保持時間がパルスの周期に対応する調光信号を受け取ることを特徴とする請求項２〜６のいずれか１項に記載の照明制御システム。
【請求項８】
前記領域の明るさを検出する明るさセンサを備え、
前記照明制御装置は、前記明るさセンサの検出結果に応じて前記点灯保持時間の長さを制御する
ことを特徴とする請求項１〜７のいずれか１項に記載の照明制御システム。
【発明の詳細な説明】
【技術分野】
【０００１】
本発明は、照明器具の点灯状態を制御する照明制御システムに関する。
【背景技術】
【０００２】
従来から、例えば省エネルギー化などを目的に、予め設定されたタイムスケジュールに従って照明器具の調光レベルを制御する照明制御装置が知られている（例えば特許文献１〜３参照）。
【０００３】
また、特許文献４には、ネットワークに接続されたセンサから親機に人センサ情報が送信され、人センサ情報を受信した親機が検出したセンサの個数に応じて点灯保持時間を切り替える照明装置が開示されている。
【先行技術文献】
【特許文献】
【０００４】
【特許文献１】特開２００２−２５２０９２号公報
【特許文献２】特開２００８−１３５２２８号公報
【特許文献３】特許第３８０００３０号公報
【特許文献４】特開平９−１２９３７７号公報
【発明の概要】
【発明が解決しようとする課題】
【０００５】
ところで、店舗でも事務所でも、照明器具が照射する領域における人の存在確率は、一般的に時刻によって異なる。例えば店舗では準備時間は店員のみである。また、業種によっても異なるが飲食店舗では食事時間帯に来客が多いが、それ以外の時間帯は来客が少ない。事務所でも早朝や深夜は従業員が少ない。
【０００６】
一方、人を検出して照明器具を制御する場合、一般に安価で消費電力が少ないという理由で焦電センサ（ＰＩＲセンサ）が用いられる。焦電センサは、温度変化を検出するから人が静止していると、人を検出することができない。そのため、人が静止していても照明器具の点灯を継続させることができるように、点灯保持時間を設定している。ただし、安全のために点灯保持時間をむやみに長くすると不在時においても存在時と同様の高出力で点灯してしまい、省エネルギー効果が低下するという問題があった。逆に、在室人数（通路の場合は通過人数）が多い場合は、点灯保持時間が短いと頻繁に点滅（あるいは高出力点灯と低出力点灯）を繰り返すことになり、視環境的に悪く、またランプが白熱灯や蛍光灯である場合はフィラメントの温度変化が激しく、ランプ寿命が低下する。したがって、予め在室人数が多い時間帯では点灯保持時間を長く設定すべきである。
【０００７】
特許文献４に記載された照明装置は、時間帯ではなく、人を検出したセンサの数によって点灯保持時間を変動させる構成であるため、例えば通路または小空間（例えば店舗の特定の売り場など）などの領域に必要以上にセンサの数量を設置する必要である。
【０００８】
本発明は上記の点に鑑みて為され、本発明の目的は、予め決められた領域内の人を検出する人検出部の数が少ない簡単な構成でありながら、領域内の人が検出された時刻ごとに照明器具のランプの点灯保持時間を最適にすることができる照明制御システムを提供することにある。
【課題を解決するための手段】
【０００９】
本発明の照明制御システムは、予め設定された領域を照射するランプと前記ランプを制御する器具側制御部とを有する照明器具と、前記領域内の人を検出する人検出部と、前記人検出部で前記領域内の人が検出された時点からの経過時間を計時するタイマ部と、前記領域内に人が存在する存在時における前記照明器具の前記ランプの点灯状態と前記人検出部で前記領域内の人が検出された時点から前記点灯状態を保持する点灯保持時間とが時刻ごとに異なるように対応付けられたタイムスケジュールに従って、前記照明器具の前記ランプの点灯状態および点灯保持時間を制御する照明制御装置とを備え、前記照明器具の前記器具側制御部は、前記人検出部で前記領域内の人が検出されると、前記タイマ部で計時された経過時間が、前記タイムスケジュールによって前記人検出部で前記領域内の人が検出された時刻に対応付けられた前記点灯保持時間になるまで、前記タイムスケジュールで対応付けられた前記点灯状態で前記領域を照射するように前記ランプを制御することを特徴とする。
【００１０】
この照明制御システムにおいて、前記照明制御装置は、前記タイムスケジュールに従って、前記点灯状態および前記点灯保持時間の情報を含む照明制御信号を前記照明器具に出力し、前記照明器具は、前記人検出部および前記タイマ部を有し、前記照明器具の前記器具側制御部は、前記照明制御装置から前記照明制御信号を取得し、前記人検出部で前記領域内の人が検出されると、前記タイマ部で計時された経過時間が前記照明制御信号の前記点灯保持時間になるまで、前記照明制御信号の前記点灯状態で前記領域を照射するように前記ランプを制御することが好ましい。
【００１１】
この照明制御システムにおいて、前記人検出部および前記タイマ部を有するセンサ端末を備え、前記照明制御装置は、前記タイムスケジュールに従って、前記点灯状態および前記点灯保持時間の情報を含む照明制御情報を前記センサ端末に出力し、前記センサ端末は、前記照明制御装置から前記照明制御情報を取得し、前記人検出部で前記領域内の人が検出されると、前記ランプを前記照明制御情報の前記点灯状態にするための照明制御信号を前記照明器具に出力し、前記タイマ部で計時された経過時間が前記照明制御情報の前記点灯保持時間になると、前記ランプを元の点灯状態にするための照明制御信号を前記照明器具に出力し、前記照明器具の前記器具側制御部は、前記センサ端末からの前記照明制御信号に従って前記ランプを制御することが好ましい。
【００１２】
この照明制御システムにおいて、前記照明器具は、前記人検出部を有し、前記人検出部で前記領域内の人が検出されると、検出結果を前記照明制御装置に出力し、前記照明制御装置は、前記タイマ部を有し、前記照明器具から前記検出結果を受け取ると、前記タイムスケジュールに従って、前記検出結果を受け取った時刻に対応付けられた存在時の点灯状態にするための照明制御信号を前記照明器具に出力し、前記タイマ部で計時された経過時間が前記点灯保持時間になると不在時の点灯状態にするための照明制御信号を前記照明器具に出力し、前記照明器具の前記器具側制御部は、前記照明制御装置からの前記照明制御信号に従って前記ランプを制御することが好ましい。
【００１３】
この照明制御システムにおいて、前記人検出部を有するセンサ端末を備え、前記センサ端末は、前記人検出部で前記領域内の人が検出されると検出結果を前記照明制御装置に出力し、前記照明制御装置は、前記タイマ部を有し、前記センサ端末から前記検出結果を受け取ると、前記タイムスケジュールに従って、前記検出結果を受け取った時刻に対応付けられた存在時の点灯状態の情報を前記センサ端末を介して照明制御信号として前記照明器具に出力し、前記タイマ部で計時された経過時間が前記点灯保持時間になると不在時の点灯状態の情報を前記センサ端末を介して照明制御信号として前記照明器具に出力し、前記照明器具の前記器具側制御部は、前記センサ端末からの前記照明制御信号に従って前記ランプを制御することが好ましい。
【００１４】
この照明制御システムにおいて、前記人検出部は、前記領域内の人を検出すると、検出結果を前記照明制御装置および前記照明器具に出力し、前記照明制御装置は、前記タイマ部を有し、前記タイムスケジュールに従って、存在時の点灯状態の情報を含む照明制御信号を前記照明器具に出力し、前記人検出部から前記検出結果を受け取ってからの経過時間が前記点灯保持時間になると、前記タイムスケジュールに従って、不在時の点灯状態の情報を含む照明制御信号を前記照明器具に出力し、前記照明器具の前記器具側制御部は、前記照明制御装置からの前記照明制御信号に従って前記ランプを制御することが好ましい。
【００１５】
この照明制御システムにおいて、前記照明器具は、前記照明制御信号として、パルス幅変調方式のパルス信号であって調光レベルがデューティ比に対応し点灯保持時間がパルスの周期に対応する調光信号を受け取ることが好ましい。
【００１６】
この照明制御システムにおいて、前記領域の明るさを検出する明るさセンサを備え、前記照明制御装置は、前記明るさセンサの検出結果に応じて前記点灯保持時間の長さを制御することが好ましい。
【発明の効果】
【００１７】
本発明によれば、予め決められた領域内の人を検出する人検出部の数が少ない簡単な構成でありながら、人検出部で領域内の人が検出された時刻ごとに照明器具のランプの点灯保持時間を最適にすることができる。
【図面の簡単な説明】
【００１８】
【図１】実施形態１に係る照明制御システムの構成を示すブロック図である。
【図２】同上に係る照明制御システムの接続状態を示す概略図である。
【図３】同上に係る照明制御システムに用いられる調光信号を示す図である。
【図４】同上に係る照明制御システムの動作を説明する図である。
【図５】実施形態２に係る照明制御システムの構成を示すブロック図である。
【図６】同上に係る照明制御システムの動作を説明する図である。
【図７】実施形態３に係る照明制御システムの構成を示すブロック図である。
【図８】同上に係る照明制御システムの動作を説明する図である。
【図９】実施形態４に係る照明制御システムの構成を示すブロック図である。
【図１０】同上に係る照明制御システムの動作を説明する図である。
【発明を実施するための形態】
【００１９】
以下の実施形態１〜４では、照明器具の点灯状態を制御する照明制御システムについて説明する。
【００２０】
（実施形態１）
実施形態１に係る照明制御システム１は、図１に示すように、複数系統の照明器具２の点灯状態をタイムスケジュールに従って制御するシステムであり、例えば事務所または店舗などで用いられる。本実施形態の照明制御システム１は、複数の調光可能な照明器具２と、複数の照明器具２の点灯状態を制御する照明制御装置３とを備えている。
【００２１】
照明器具２は、予め設定された領域（図示せず）を照射するランプ２０１と、ランプ２０１を点灯させるための点灯回路部２０２と、照明制御装置３から調光信号を受信する器具側通信部２０３と、ランプ２０１を制御する器具側制御部２０４とを備えている。さらに、本実施形態の照明器具２は、領域内の人を検出する人検出部４と、時間を計時するタイマ部５とを備えている。照明器具２には、ＣＰＵ（Central Processing Unit：中央処理装置）およびメモリが搭載されたマイクロコンピュータが搭載されている。ランプ２０１としては、例えば白色ＬＥＤ（Light Emitting Diode）、ＲＧＢ−ＬＥＤ、蛍光灯、白熱灯、有機ＥＬ（ElectroLuminescence）またはＨＩＤ（High Intensity Discharge）ランプなどが用いられる。なお、ランプ２０１の種類によっては、照明器具２は調光だけではなく、調色も制御する。
【００２２】
各照明器具２に搭載された人検出部４は、例えばＰＩＲ（Passive Infrared Ray）センサなどである。人が完全に静止すると人検出部４が人を検出することができないため、照明器具２は、一度検出すると一定時間点灯状態を保持する機能を有している。
【００２３】
タイマ部５は、例えばタイマＩＣまたはＣＰＵなどであり、人検出部４で領域内の人が検出された時点からの経過時間を計時する。計時中に、人検出部４で領域内の人が再度検出されると、タイマ部５は再トリガがされて、再度検出された時点からの経過時間を計時する。
【００２４】
照明制御装置３は、ＣＰＵおよびメモリが搭載されたコンピュータ（マイクロコンピュータを含む）を主構成要素とし、照明器具２とは別個に設けられた装置である。照明制御装置３は、主として建築物の壁に取り付けられる壁付けタイプの装置である。照明制御装置３は、現在時刻を計時する計時部３１と、各種情報を記憶する記憶部３２と、照明器具２に調光信号を送信する装置側通信部３３と、照明制御装置３の各部を制御する装置側制御部３４とを備えている。さらに、照明制御装置３は、使用者が入力操作する際に用いられる操作部３５と、商用電源（図示せず）からの電力を各部に供給する主電源３６と、主電源３６の停止時に動作するバックアップ電源３７とを備えている。
【００２５】
照明制御装置３は、以下のようなタイムスケジュール制御を行う。タイムスケジュール制御とは、予め設定されたスケジュールに従って照明器具２の点灯状態を自動的に切り替えるという制御である。例えば店舗内に設置された複数の照明器具２を制御する場合には、準備時間中は一部の照明器具２のみを間引き点灯したり、各照明器具２の調光レベルを通常より低めに設定したりするなどして省エネルギー化を図っている。一方、開店時間中は各照明器具２の照度を適正照度とし、さらにバーゲンタイムなど客の多い時間帯は各照明器具２の照度を適正照度よりも高くしている。これにより、時間帯ごとに適切な照明環境が得られ、かつ、無駄な照明を減らして省エネルギーを図っている。
【００２６】
計時部３１は、例えばリアルタイムクロック（ＲＴＣ：Real Time Clock）などであり、現在時刻を計時する。現在時刻には、年・月・日だけではなく、曜日も含まれる。
【００２７】
記憶部３２は、例えばＥＥＰＲＯＭ（Electrically Erasable Programmable Read Only Memory）またはフラッシュＲＯＭなどのメモリとその周辺回路とで構成され、予め設定されたタイムスケジュールのデータを記憶する。
【００２８】
装置側制御部３４は、コンピュータに搭載されたＣＰＵを主構成要素とし、プログラムに従って動作することによって、タイムスケジュールに従って照明器具２のランプ２０１の点灯状態および点灯保持時間を制御する。タイムスケジュールには、時刻（時間帯）ごとに照明器具２のランプ２０１の点灯状態および点灯保持時間が対応付けられている。点灯保持時間とは、人検出部４で領域内の人が検出された時点から点灯状態を保持する時間をいう。タイムスケジュールでは、例えば人の出入りが多い時刻（時間帯）または在室人数が多い時刻（時間帯）では点灯保持時間が長く設定される。各時刻（各時間帯）のランプ２０１の点灯状態としては、領域内の人の存在時／不在時のそれぞれの調光レベルがある。本実施形態では、存在時の調光レベルは時刻（時間帯）ごとに異なるが、不在時の調光レベルは照明器具２の調光下限である２５％に固定されている。なお、装置側制御部３４の主構成要素であるＣＰＵは、記憶部３２と一体で形成されていてもよい。
【００２９】
装置側制御部３４は、「系統１」に関する照明制御情報を含む調光信号が照明器具２１に出力され、「系統２」に関する照明制御情報を含む調光信号が照明器具２２に出力されるように装置側通信部３３を制御する。他の系統についても「系統１」および「系統２」と同様であり、例えば「系統ｎ」について、装置側制御部３４は、「系統ｎ」に関する照明制御情報を含む調光信号が照明器具２ｎに出力されるように装置側通信部３３を制御する。
【００３０】
装置側通信部３３は、各系統の出力ポート（図示せず）を有し、各出力ポートに専用の信号線７を介して接続される照明器具２に対して、装置側制御部３４から受け取った照明制御情報を含む調光信号を出力する。つまり、装置側通信部３３は、装置側制御部３４の指示に従って、点灯状態および点灯保持時間の情報を含む調光信号を系統ごとに照明器具２に送信する。
【００３１】
装置側通信部３３から送信される調光信号は、ランプ２０１の光出力レベル（ランプ２０１の種類によっては色温度）を制御するための信号であり、照明制御信号としての機能を有している。つまり、調光信号には、装置側制御部３４で制御された点灯状態にするための照明制御情報が含まれている。調光信号は、アナログの直流電圧またはパルス信号のデューティ比（オンデューティ）などのアナログ信号もしくはデジタル信号である。本実施形態の調光信号は、調光レベルがパルス信号のデューティ比に対応するパルス幅変調（ＰＷＭ：Pulse Width Modulation）方式によるパルス信号であり、点灯保持時間がパルスの周期に対応する。本実施形態で用いられている方式は、ＪＩＳ８１２０−２：付属書Ｅとして規格されている方式である。この規格では、パルス信号の１周期は１ｍｓ〜１０ｍｓ（周波数：１００Ｈｚ〜１ｋＨｚ）と幅がある。この範囲で点灯保持時間に応じてパルスの周期（あるいは周波数）を可変する。図３（ａ）には、デューティ比（Ｔｏｎ／（Ｔｏｎ＋Ｔｏｆｆ））が２０％である場合の調光信号が示され、図３（ｂ）には、デューティ比が５０％である場合の調光信号が示されている。図３（ａ）では、（ａ−１）、（ａ−２）、（ａ−３）ともにデューティ比が同じであるが、周期は、ａ−１がＴ１、ａ−２がＴ２、ａ−３がＴ３と異なる（図示例では、Ｔ１＞Ｔ２＞Ｔ３）。図３（ｂ）においても同様である。例えば点灯保持時間を周期Ｔ１では１分間、周期Ｔ２では５分間、周期Ｔ３では１０分間と対応させて、その対応を照明器具２および照明制御装置３が共通で記憶していれば、照明制御装置３は、各時間帯における存在時の点灯状態（調光レベル）の情報と点灯保持時間の情報とをアナログ調光信号で照明器具２に送信することができる。例えば深夜モード（２０時から２２時）の時間帯では、照明制御装置３は、常に一定の調光信号（例えば調光レベル７０％、点灯保持時間１分に対応するパルス信号）を継続的に照明器具２に送信する。不在時は２５％固定であるから、照明器具２は、人検出部４が人を検出するまでは調光レベル２５％で点灯して、人検出部４が人を検出すると調光レベル７０％に制御する。
【００３２】
照明器具２の器具側制御部２０４は、器具側通信部２０３を介して照明制御装置３から調光信号を取得する。人検出部４で領域内の人が検出されると、器具側検出部２０２は、タイマ部５で計時された経過時間が調光信号の点灯保持時間になるまで、調光信号の点灯状態で領域を照射するようにランプ２０１を制御する。
【００３３】
操作部３５は、図２に示すように複数のプッシュスイッチ３５１と表示部３５２とを備え、現在時刻またはタイムスケジュールなどを使用者が入力する際に用いられる。プッシュスイッチ３５１は操作内容ごとに設けられ、タイムスケジュールの制御内容などの基本設定が使用者によって行われる。設定値は記憶部３２に保存される。表示部３５２は、例えば液晶（ＬＣＤ）表示器または７セグメントＬＥＤ表示器などであり、使用者によって入力された情報を確認することができるように入力情報を表示したり、現在時刻を表示したりする。表示部３５２の表示内容は装置側制御部３４によって制御される。なお、操作部３５は、上記の構成に限定されず、プッシュスイッチ３５１に代えてタッチパネル式の液晶表示部（例えば表示部３５２と兼用）であってもよい。
【００３４】
図１に示すバックアップ電源３７は、主電源３６の停止時に動作し、計時部３１が計時するために用いられたりする。
【００３５】
次に、本実施形態に係る照明制御システム１の動作について図４を用いて説明する。まず、照明制御装置３は、記憶部３２のタイムスケジュールと計時部３１の現在時刻とに従って、存在時の調光レベル（点灯状態）の情報および点灯保持時間の情報を含む調光信号を照明器具２に送信する。照明器具２は、照明制御装置３から調光信号を取得する。その後、人検出部４で領域内の人が検出されると、器具側制御部２０４は、調光信号の情報に従って、ランプ２０１の調光レベルを存在時の調光レベルに変更する。その後、タイマ部５で計時された経過時間が調光信号の点灯保持時間になると、器具側制御部２０４は、ランプ２０１の調光レベルを不在時の調光レベルに戻す。
【００３６】
本実施形態の照明制御システム１の使用例としては、事務所などにおいて、例えば昼間の時間帯（昼休みの時間帯を除く）は窓際の系統の照明器具２を通常より低い調光レベルにしたり、昼休みの時間帯は全ての系統の照明器具２を消灯したりする。
【００３７】
以上、本実施形態の照明制御システム１は、予め決められた領域内の人が少ない時間帯の点灯保持時間を短くし、領域内の人が多い時間帯の点灯保持時間を長くするようにタイムスケジュールを予め設定する。これにより、本実施形態の照明制御システム１によれば、領域内の人を検出する人検出部４の数が少ない簡単な構成でありながら、人検出部４で領域内の人が検出された時刻ごとに照明器具２のランプ２０１の点灯保持時間を最適にすることができる。その結果、領域内の人が少ない時間帯は点灯保持時間を短くして、省エネルギー効果を高めることができる。一方、領域内の人が多い時間帯は点灯保持時間を長くして、点灯と消灯を頻繁に繰り返すことを防止し、結果的に、視環境を悪化させたり、ランプ寿命を短くさせたりする不具合を防止することができる。
【００３８】
また、デジタル調光信号やデジタル通信は既存商品からの変更が大きく、全般的にコストアップになるが、本実施形態の照明制御システム１によれば、日本国内で普及しているＰＷＭ方式の調光信号を採用することによって、普及しているインフラを利用することできて経済的である。
【００３９】
（実施形態２）
実施形態２に係る照明制御システム１は、図５に示すように系統別にセンサ端末６を備えている点で、実施形態１に係る照明制御システム１（図１参照）と相違する。以下、本実施形態の照明制御システム１について図５，６を用いて説明する。なお、実施形態１の照明制御システム１と同様の構成要素については、同一の符号を付して説明を省略する。
【００４０】
センサ端末６は、照明制御装置３と通信する端末側通信部６０１と、照明器具２に調光信号を出力する調光信号出力部６０２と、センサ端末６の各部を制御する端末側制御部６０３とを備えている。本実施形態の人検出部４およびタイマ部５は、照明器具２に代えてセンサ端末６に搭載されている。
【００４１】
本実施形態の装置側制御部３４は、センサ端末６を介して系統ごとに照明器具２の点灯状態を制御する。つまり、装置側制御部３４は、「系統１」に関する照明制御情報をセンサ端末６１に送信し、「系統２」に関する照明制御情報をセンサ端末６２に送信し、「系統ｎ」に関する照明制御情報をセンサ端末６ｎに送信する。なお、実施形態１の装置側制御部３４（図１参照）と同様の機能については説明を省略する。
【００４２】
照明制御装置３とセンサ端末６との間の通信には、デジタル通信であるＲＳ４８５が用いられる。照明制御装置３は、センサ端末６に対して調光レベルの情報以外に点灯保持時間の情報を送信して、その信号を受信したセンサ端末６は人検出後、点灯保持時間を制御する。ＲＳ−４８５の信号線８はバス配線のため、照明制御装置３はセンサ端末６のアドレスを付加してセンサ端末６に各信号を送信する。照明制御装置３のアドレスは例えば１番など固定でよい。照明制御装置３は、基本的に照明モード（昼モード、深夜モードなど）が開始したときに存在時の調光レベル、不在時の調光レベルおよび点灯保持時間を連続してセンサ端末６に送信する。なお、通信の信頼性を向上させるために、定期的（例えば１分間ごと）に繰り返し送信してもよい。
【００４３】
次に、本実施形態に係る照明制御システム１の動作について図６を用いて説明する。まず、照明制御装置３は、記憶部３２のタイムスケジュールと計時部３１の現在時刻とに従って、存在時および不在時の各調光レベル（点灯状態）の情報ならびに点灯保持時間の情報を含む照明制御情報をセンサ端末６に送信する。センサ端末６は、照明制御装置３から照明制御情報を取得する。その後、人検出部４で領域内の人が検出されると、センサ端末６は、ランプ２０１を照明制御情報に従って、ランプ２０１の調光レベルを存在時の調光レベルにするための調光信号を照明器具２に出力する。照明器具２の器具側制御部２０４は、センサ端末６からの調光信号に従って、ランプ２０１の調光レベルを存在時の調光レベルに変更する。その後、タイマ部５で計時された経過時間が照明制御情報の点灯保持時間になると、センサ端末６は、ランプ２０１の調光レベルを不在時の調光レベルにするための調光信号を照明器具２に出力する。照明器具２の器具側制御部２０４は、センサ端末６からの調光信号に従って、ランプ２０１の調光レベルを不在時の調光レベルに戻す。
【００４４】
（実施形態３）
実施形態３に係る照明制御システム１は、図７に示すように照明制御装置３がタイマ部５を備えている点で、実施形態１に係る照明制御システム１（図１参照）と相違する。以下、本実施形態の照明制御システム１について図７，８を用いて説明する。なお、実施形態１の照明制御システム１と同様の構成要素については、同一の符号を付して説明を省略する。
【００４５】
照明器具２は、実施形態１と同様に人検出部４を備えている。照明器具２は、人検出部４で領域内の人が検出されると、検出結果を照明制御装置３に出力する。
【００４６】
本実施形態のタイマ部５は、照明制御装置３に搭載されている。つまり、点灯保持時間の管理は、照明制御装置３で行われる。
【００４７】
次に、本実施形態に係る照明制御システム１の動作について図８を用いて説明する。まず、人検出部４で領域内の人が検出されると、照明器具２は、人検出部４の検出結果を照明制御装置３に送信する。照明制御装置３は、人検出部４の検出結果を照明器具２から受け取ると、記憶部３２のタイムスケジュールと計時部３１の現在時刻とに従って、検出結果を受け取った時刻に対応付けられた存在時の調光レベルの情報を含む調光信号を照明器具２に出力する。照明器具２の器具側制御部２０４は、照明制御装置３からの調光信号に従って、ランプ２０１の調光レベルを存在時の調光レベルに変更する。その後、タイマ部５で計時された経過時間が点灯保持時間になると、照明制御装置３は、記憶部３２のタイムスケジュールと計時部３１の現在時刻とに従って、不在時の調光レベルの情報を含む調光信号を照明器具２に出力する。照明器具２の器具側制御部２０４は、照明制御装置３からの調光信号に従って、ランプ２０１の調光レベルを不在時の調光レベルに変更する。
【００４８】
以上、本実施形態の照明制御システム１によれば、領域内の人が検出されてからの経過時間を計時するタイマ部５を照明制御装置３のみに備えるだけでよく、経済的である。また、領域が部屋である場合に、部屋の入口の人検出部４が人を検出したときに部屋全体を連動で調光制御するなど、自由度の高い調光制御を行うことができる。
【００４９】
（実施形態４）
実施形態４に係る照明制御システム１は、図９に示すように照明制御装置３がタイマ部５を備えている点で、実施形態２に係る照明制御システム１（図５参照）と相違する。以下、本実施形態の照明制御システム１について図９，１０を用いて説明する。なお、実施形態２の照明制御システム１と同様の構成要素については、同一の符号を付して説明を省略する。
【００５０】
本実施形態のセンサ端末６は、タイマ部５を備えていないが、実施形態２のセンサ端末６（図５参照）と同様に人検出部４を備えている。なお、実施形態２のセンサ端末６と同様の機能については説明を省略する。
【００５１】
本実施形態のタイマ部５は照明制御装置３に搭載されている。つまり、点灯保持時間の管理は照明制御装置３で行われる。
【００５２】
次に、本実施形態に係る照明制御システム１の動作について図１０を用いて説明する。まず、人検出部４で領域内の人が検出されると、センサ端末６は、検出結果を照明制御装置３に出力する。照明制御装置３は、センサ端末６から検出結果を受け取ると、記憶部３２のタイムスケジュールと計時部３１の現在時刻とに従って、検出結果を受け取った時刻に対応付けられた存在時の調光レベル（点灯状態）の情報をセンサ端末６に送信する。センサ端末６は、存在時の調光レベルの情報を含む調光信号を照明器具２に出力する。照明器具２の器具側制御部２０４は、センサ端末６からの調光信号に従って、ランプ２０１の調光レベルを存在時の調光レベルに変更する。その後、タイマ部５で計時された経過時間が点灯保持時間になると、照明制御装置３は、記憶部３２のタイムスケジュールと計時部３１の現在時刻とに従って、不在時の調光レベルの情報をセンサ端末６に送信する。センサ端末６は、不在時の調光レベルの情報を含む調光信号を照明器具２に出力する。照明器具２の器具側制御部２０４は、センサ端末６からの調光信号に従って、ランプ２０１の調光レベルを不在時の調光レベルに変更する。
【００５３】
以上、本実施形態の照明制御システム１によれば、領域内の人が検出されてからの経過時間を計時するタイマ部５を照明制御装置３のみに備えるだけでよく、経済的である。また、領域が部屋である場合に、部屋の入口の人検出部４が人を検出したときに部屋全体を連動で調光制御するなど、自由度の高い調光制御を行うことができる。
【００５４】
なお、実施形態３，４の変形例として、不在時の点灯モードで人を検出したときにできるだけ早く存在時の点灯モードに移行するために、人検出部４は、領域内の人を検出した場合に、検出結果を照明制御装置３に送信すると同時に、照明器具２に送信するようにしてもよい。本変形例の場合、照明器具２の器具側制御部２０４は、照明制御装置３から予め取得していた存在時の照明制御情報に基づいてランプ２０１を調光制御し、照明制御装置３から不在時の照明制御情報を含む調光信号を受信するまで存在時の調光レベルを維持する。
【００５５】
本変形例によれば、点滅状態あるいは暗状態で人が入室して、人検出部４で人が検出されたときに不在モードから存在モードへの調光制御は即効性が必要である場合であっても、人検出部４が搭載された装置（照明器具２またはセンサ端末６）から照明制御装置３への通信、照明制御装置３での判断、照明制御装置３から人検出部４が搭載された装置への通信の３つのステップに要する時間を短縮することができる。その結果、即効性を実現することができるので、安全性を高めることができる。
【００５６】
実施形態２，４の変形例として、センサ端末６は、例えば机上面または床面などの明るさ（例えば照度など）を検出する明るさセンサ（図示せず）を備えていてもよい。明るさセンサは、フォトダイオードで光電変換してオペアンプで増幅して、机上面または床面の明るさ（照度）を検出する。明るさセンサとしては、例えばフォトダイオードとオペアンプを集積したフォトＩＣが用いられる。センサ端末６は、人検出部４の検出結果だけではなく、明るさセンサの検出結果も考慮して、照明器具２を調光制御する。例えば、センサ端末６は、明るさセンサで計測された照度が予め設定された閾値以上である場合に、人検出部４の検出結果を無視して不在モードを維持したり、点灯保持時間を通常より短くしたりする。センサ端末６は点灯保持時間を、例えば明るさセンサの出力が暗状態である場合に１０分間、明状態の場合に５分に設定する。
【００５７】
本変形例によれば、明るさセンサを含めた制御で、例えば、周囲が明るければ人検出部４の検出結果を無視したり、点灯保持時間を短くしたりするように制御することができるので、無駄な光出力を低減して省エネルギー化を高めることができる。
【００５８】
実施形態２，４の変形例として、調光信号出力部６０２は、照明器具２に供給する電力の大きさを制御することによって、照明器具２の点灯状態を制御してもよい。
【００５９】
実施形態２，４の他の変形例として、センサ端末６に接続される照明器具２は、単一の系統に限定されず、さらに複数のサブグループ化してもよい。本変形例の場合、照明制御情報の信号（ＲＳ−４８５信号）に系統アドレスだけではなく、サブグループアドレスも付加すればよい。
【００６０】
実施形態２，４の他の変形例として、照明制御装置３とセンサ端末６との間の通信は、専用線による通信に限定されず、赤外線または電波などを用いた通信であってもよい。
【００６１】
実施形態１〜４の変形例として、照明制御装置３は、使用者が照明制御装置３に対してリモートコントロール装置（リモコン）で操作できる場合、天井に取り付けられる天井付けタイプの装置であってもよい。
【００６２】
実施形態１〜４の他の変形例として、調光信号は、専用の信号線による信号ではなく、電力線搬送信号または電波などを使用した無線信号であってもよい。
【００６３】
実施形態１〜４では、照明器具２の点灯状態の制御として調光制御について説明したが、実施形態１〜４の変形例として、照明器具２の点灯状態の制御は、照明器具２のランプ２０１から放射される光の色温度を制御する調色制御であってもよい。調色制御は、調光制御に代えて、または調光制御とともに行われる。例えばランプ２０１がＲＧＢ−ＬＥＤである場合、照明制御装置３が色別に調光レベルの情報を照明器具２に送信すれば、ランプ２０１から放射される光の調色を制御することができる。
【符号の説明】
【００６４】
１  照明制御システム
２  照明器具
２０１  ランプ
２０４  器具側制御部
３  照明制御装置
４  人検出部
５  タイマ部
６  センサ端末
【図１】
2012074151.tif 000003
【図２】
2012074151.tif 000004
【図３】
2012074151.tif 000005
【図４】
2012074151.tif 000006
【図５】
2012074151.tif 000007
【図６】
2012074151.tif 000008
【図７】
2012074151.tif 000009
【図８】
2012074151.tif 000010
【図９】
2012074151.tif 000011
【図１０】
2012074151.tif 000012